(57)【要約】【目的】  専用のスイッチを設けることなしに外部同期式と内部同期式の切替が行えるビデオカメラを提供する。【構成】  コンパレータ１７は、外部同期式において用いられる調整電圧作成ボリューム１６からの電圧値（第１電圧値）と、比較電圧出力部１５からの電圧値（第２電圧値）とを比較する。ここで、調整電圧作成ボリューム１６が時計回りに略目一杯回されたときの出力電圧値をＶ１とし、反時計回りに略目一杯回されたときの出力電圧値をＶ２とする（Ｖ１＞Ｖ２）。そして、第２電圧値をｖとすると、このｖは、Ｖ１に近い値であり且つ、ｖ＜Ｖ１に設定される。コンパレータ１７は、ｖ＜Ｖ１かどうかを示す比較信号（例えば、ｖ＜Ｖ１のときＨｉｇｈ信号でそれ以外のときＬｏｗ信号とする）をカメラ回路５のＣＰＵに与える。ＣＰＵは、Ｈｉｇｈ信号を受け取ったときに、内部同期式を採用する。【選択図】        図２
2005244326.tif 000002
【特許請求の範囲】
【請求項１】
外部同期式と内部同期式との切替が可能に構成されたビデオカメラにおいて、前記外部同期式で利用される外部周波数源に基づく同期パルスの位相を調整するためのボリュームと、前記ボリュームが時計回り又は反時計回りに略目一杯回されたかどうかを判定する判定手段と、略目一杯回されたと判断した場合に内部同期式に切り替える制御手段と、を備えたことを特徴とするビデオカメラ。
【請求項２】
請求項１に記載のビデオカメラにおいて、前記判定手段は、前記ボリュームの抵抗値に基づく電圧値と比較用電圧値との比較結果に基づいて略目一杯回されたかどうかを示す信号を出力するように構成されたことを特徴とするビデオカメラ。
【請求項３】
請求項１に記載のビデオカメラにおいて、前記ボリュームは時計回り又は反時計回りに略目一杯回されときにスイッチ動作するスイッチ付きボリュームから成り、前記判定手段は前記スイッチ動作に基づく信号を出力するように構成されたことを特徴とするビデオカメラ。
【発明の詳細な説明】
【技術分野】
【０００１】
この発明は、監視カメラなどに用いられるビデオカメラに関する。
【背景技術】
【０００２】
監視エリアに多数のビデオカメラを配置し、監視センター側では前記ビデオカメラからの映像を一つ又は複数のモニタ上に切り替えて表示することが行われる。
【０００３】
内部同期式のビデオカメラでは、各ビデオカメラ自体が所定周波数の信号を発生させることになる。例えば、ＮＴＳＣ方式のビデオカメラは、垂直同期周波数が５９．９４ＭＨｚであり、サブキャリア（３．５８ＭＨｚ）に対して周波数インターリーブの関係を保つように所定周波数の信号を発生する。このため、各ビデオカメラからは良好な映像信号が送られてくることになり、前記モニタ上には乱れのない映像が表示される。しかしながら、内部同期式のビデオカメラでは、各ビデオカメラ間で前記所定周波数の信号の位相は一致しないため、ビデオカメラ切替時において表示映像に乱れが生じる。
【０００４】
一方、外部同期式のビデオカメラでは、外部の周波数発生源からの信号に基づいて各ビデオカメラが同期動作することになる。外部同期式のビデオカメラとしては、商用電源を用いる方式が知られている（特許文献１参照）。しかしながら、商用電源の周波数が何らかの理由によって安定しない場合、各ビデオカメラはこの安定しない周波数を基準とすることになるため、映像が安定しなくなる。特に、ビデオカメラに接続される周辺機器としてディジタルビデオエンコーダを採用している場合、ビデオカメラからの信号に対してディジタルビデオエンコーダの同期合わせ（ＰＬＬ）が異常となり、映像にビートが生じる。また、正確な商用電源の周波数は６０．００Ｈｚであるため、この周波数に同期が合った場合も周波数インターリーブの関係を保つことができなくなり、映像の輪郭部分などにカラービートが発生する。
【０００５】
そこで、外部同期式のビデオカメラにおいても内部同期式のための機能を備えることとし、専用の手動スイッチの操作でどちらかに切り替えることができるようにしている。図３にビデオカメラの機能ブロック図を示す。手動スイッチ２０を操作することにより、Ｈｉｇｈ又はＬｏｗの信号がカメラ回路（ＣＰＵ）５に入力され、例えば、Ｈｉｇｈのときには外部同期式ビデオカメラとして機能し、Ｌｏｗのときには内部同期式ビデオカメラとして機能する。
【特許文献１】特開平５−２６０３６６号公報
【発明の開示】
【発明が解決しようとする課題】
【０００６】
しかしながら、ビデオカメラの多機能化の要請により前記外部同期式と内部同期式の切替以外にもスイッチが必要とされることが多くなっている。一方、小型化等の要請により、スイッチの個数をあまり増やすことができない。
【０００７】
この発明は、上記の事情に鑑み、専用のスイッチを設けることなしに外部同期式と内部同期式の切替が行えるビデオカメラを提供することを目的とする。
【課題を解決するための手段】
【０００８】
この発明のビデオカメラは、上記の課題を解決するために、外部同期式と内部同期式との切替が可能に構成されたビデオカメラにおいて、前記外部同期式で利用される外部周波数源に基づく同期パルスの位相を調整するためのボリュームと、前記ボリュームが時計回り又は反時計回りに略目一杯回されたかどうかを判定する判定手段と、略目一杯回されたと判断した場合に内部同期式に切り替える制御手段と、を備えたことを特徴とする。
【０００９】
上記の構成であれば、所定範囲内でのボリューム操作で同期パルスの調整が行えると共に、前記ボリューム操作で内部同期式に切り替えることが可能になる。すなわち、専用のスイッチを設けることなしに外部同期式と内部同期式の切替が行えることになる。
【００１０】
前記判定手段は、前記ボリュームの抵抗値に基づく電圧値と比較用電圧値との比較結果に基づいて略目一杯回されたかどうかを示す信号を出力するように構成されていてもよい。また、前記ボリュームは時計回り又は反時計回りに略目一杯回されときにスイッチ動作するスイッチ付きボリュームから成り、前記判定手段は前記スイッチ動作に基づく信号を出力するように構成されていてもよい。
【発明の効果】
【００１１】
この発明によれば、専用のスイッチを設けることなしに外部同期式と内部同期式の切替が行える。これにより、ビデオカメラの多機能化の要請及び小型化の要請に応えることができるという効果を奏する。
【発明を実施するための最良の形態】
【００１２】
以下、この発明の実施形態におけるビデオカメラを図１及び図２に基づいて説明する。なお、説明の便宜上、図２において、図３と同一の機能部には同一の符号を付記している。
【００１３】
図１はビデオカメラ１の外観を示した斜視図である。ビデオカメラ１の側面には、切替スイッチ１４Ａ・１４Ｂ、第１調整ボリューム１６、第２調整ボリューム１８が設けられている。従来においては、例えば、切替スイッチ１４Ａが同期方式の切替用に用いられていたが、この発明では、第１調整ボリューム１６を操作することで、同期方式を切り替えることができるようにしている。
【００１４】
図２はビデオカメラ１の電源同期回路を主に示したブロック図である。このブロック図を参照して外部同期式について簡単に説明していく。この例では、ビデオカメラ１に入力されるＡＣ電源（商用電源）の位相に映像の同期を合わせる電源同期方式を採用している。電源波形抜取部（フォトカプラ）３は、電源回路２の１次側の交流波形に対応する信号を生成し、この信号を２次側の電源同期回路のノコギリ波作成回路６に与える。
【００１５】
ノコギリ波作成回路６は前記信号の周波数に応じたノコギリ波を生成する。パルス幅調整回路（コンパレータ）８は、ノコギリ波作成回路６からのノコギリ波と調整電圧作成ボリューム（第１調整ボリューム）１６からの電圧とを比較し、比較結果（比較結果で決まる幅及び位相のパルス）を出力する。波形整形回路９によって前記パルスの波形が整形されて電源同期パルスが出力される。すなわち、調整電圧作成ボリューム１６を操作することで、電源同期パルスの位相を変化させることができる。
【００１６】
位相比較回路（ＰＬＬ：フェーズロックドループ）は、カメラ回路５から得られる垂直同期信号と前記電源同期パルスとを入力し、位相差に応じた電圧を出力する。この電圧によって電圧制御発振回路１１が出力する周波数（メインクロック）が調整される。カメラ回路５は、ＣＣＤ４からの撮像信号を入力し、前記調整された周波数（メインクロック）に基づいて映像信号を生成する。
【００１７】
コンパレータ１７は、前記調整電圧作成ボリューム１６からの電圧値（以下、第１電圧値という）と、比較電圧出力部１５からの電圧値（以下、第２電圧値という）とを比較する。ここで、調整電圧作成ボリューム１６が時計回りに略目一杯回されたときの出力電圧値をＶ１とし、反時計回りに略目一杯回されたときの出力電圧値をＶ２とする（Ｖ１＞Ｖ２）。そして、第２電圧値をｖとすると、このｖは、Ｖ１に近い値であり且つ、ｖ＜Ｖ１に設定される。コンパレータ１７は、ｖ＜Ｖ１かどうかを示す比較信号（この実施例では、ｖ＜Ｖ１のときＨｉｇｈ信号でそれ以外のときＬｏｗ信号とする）をカメラ回路５のＣＰＵに与える。ＣＰＵは、Ｈｉｇｈ信号を受け取ったときに、内部同期式を採用する。
【００１８】
上記の構成であれば、調整電圧作成ボリューム１６を操作して電源同期パルスの位相を変化させることができる（外部同期式での電源同期パルス調整が行える）と共に、調整電圧作成ボリューム１６を時計回りに略目一杯回すことにより、内部同期式に切り替えることができる。すなわち、外部同期式と内部同期式の切替のための専用のスイッチは不要になる。
【００１９】
なお、調整電圧作成ボリューム１６を反時計回りに略目一杯回すことで内部同期式に切り替える形態も採用できる。この場合は、第２電圧値をｖとすると、このｖは、Ｖ２に近い値であり且つ、ｖ＞Ｖ２に設定される。コンパレータ１７は、ｖ＞Ｖ２かどうかを示す比較信号（ｖ＞Ｖ２のときＨｉｇｈ信号でそれ以外のときＬｏｗ信号とする）をカメラ回路５のＣＰＵに与えればよい。
【００２０】
また、前記調整電圧作成ボリューム１６としてスイッチ付きボリュームを採用してもよい。すなわち、時計回り或いは反時計回りに略目一杯回すことでスイッチ動作が行われるスイッチ付きボリュームを用い、前記スイッチ動作を検出したときに内部同期式に切り替える形態も採用できる。
【図面の簡単な説明】
【００２１】
【図１】この発明の実施形態のビデオカメラを示した斜視図である。
【図２】この発明の実施形態のビデオカメラを示したブロック図である。
【図３】従来のビデオカメラを示したブロック図である。
【符号の説明】
【００２２】
１    ビデオカメラ
５    カメラ回路（ＣＰＵ）
１０  位相比較回路
１１  電圧制御発振回路
１５  比較電圧出力部
１６  調整電圧作成ボリューム
１７  コンパレータ
【図１】
2005244326.tif 000003
【図２】
2005244326.tif 000004
【図３】
2005244326.tif 000005